(57)【要約】【課題】効率良く履歴アドレスを記憶することによって、ユーザが履歴アドレスに効率良く再アクセスできる画像形成装置を提供する。【解決手段】画像形成装置ＭＦＰは、操作命令を受け付ける操作部１３６と、操作命令に基づきネットワークＮＷを介して外部のアドレスからＷｅｂページを受信する通信部１２２と、受信したＷｅｂページを表示する表示部１３８と、表示したＷｅｂページに対応するアドレスを保持する記憶媒体１０５と、Ｗｅｂページの表示中に操作部がＷｅｂページに関連する操作命令を受け付けたことを検知する検知手段１００Ａと、Ｗｅｂページのうち、表示中に操作部が所定の操作命令を受け付けたＷｅｂページに対応するアドレスを履歴情報として記憶媒体に保持させる記憶制御手段１００Ｇとを含む。【選択図】図６
2010045614.tif 000002
【特許請求の範囲】
【請求項１】
ネットワークを介して取得したＷｅｂページを表示可能な画像形成装置であって、
操作命令を受け付ける操作部と、
前記操作命令に基づき前記ネットワークを介して外部のアドレスから前記Ｗｅｂページを受信する通信部と、
受信した前記Ｗｅｂページを表示する表示部と、
表示した前記Ｗｅｂページに対応するアドレスを記憶する記憶媒体と、
前記Ｗｅｂページの表示中に前記操作部が前記Ｗｅｂページに関連する操作命令を受け付けたことを検知する検知手段と、
前記Ｗｅｂページのうち、表示中に前記操作部が前記Ｗｅｂページに関連する操作命令を受け付けたＷｅｂページに対応するアドレスを履歴情報として前記記憶媒体に記憶させる記憶制御手段とを備える、画像形成装置。
【請求項２】
前記Ｗｅｂページに関連する操作命令は、表示エリアを変更する命令を含む、請求項１に記載の画像形成装置。
【請求項３】
前記Ｗｅｂページに関連する操作命令は、文字の表示サイズを変更する命令を含む、請求項１または２に記載の画像形成装置。
【請求項４】
前記Ｗｅｂページに関連する操作命令は、前記Ｗｅｂページ内を検索する命令を含む、請求項１から３のいずれか１項に記載の画像形成装置。
【請求項５】
ネットワークを介して取得したＷｅｂページを表示可能な画像形成装置であって、
操作命令を受け付ける操作部と、
前記操作命令に基づき前記ネットワークを介して外部のアドレスから前記Ｗｅｂページを受信する通信部と、
受信した前記Ｗｅｂページを表示する表示部と、
表示した前記Ｗｅｂページに対応するアドレスを記憶する記憶媒体と、
前記Ｗｅｂページの各々の表示時間を測定する測定手段と、
前記表示時間が第１の所定時間に達したか否かを判断する第１の判断手段と、
前記Ｗｅｂページのうち、前記表示時間が前記第１の所定時間に達したＷｅｂページに対応するアドレスを前記履歴情報として前記記憶媒体に記憶させる記憶制御手段とを備える、画像形成装置。
【請求項６】
前記記憶制御手段は、前記Ｗｅｂページの表示開始後、最初に表示されたＷｅｂページに対応するアドレスを前記履歴情報として前記記憶媒体に記憶させる、請求項１から５のいずれか１項に記載の画像形成装置。
【請求項７】
前記記憶制御手段は、前記Ｗｅｂページの表示終了時に表示されているＷｅｂページに対応するアドレスを前記履歴情報として前記記憶媒体に記憶させる、請求項１から６のいずれか１項に記載の画像形成装置。
【請求項８】
ネットワークを介して取得したＷｅｂページを表示可能な画像形成装置であって、
操作命令を受け付ける操作部と、
前記操作命令に基づき前記ネットワークを介して外部のアドレスから前記Ｗｅｂページを受信する通信部と、
受信した前記Ｗｅｂページを表示する表示部と、
表示した前記Ｗｅｂページに対応するアドレスを記憶する記憶媒体と、
新たに表示される前記Ｗｅｂページに対応するアドレスの階層が、１つ前に表示された前記Ｗｅｂページに対応するアドレスの階層よりも深いか否かを判断する第２の判断部と、
前記新たに表示される前記Ｗｅｂページに対応するアドレスの階層が、前記１つ前に表示された前記Ｗｅｂページに対応するアドレスの階層よりも深くない場合に、前記１つ前に表示されていた前記Ｗｅｂページに対応するアドレスを前記履歴情報として前記記憶媒体に記憶させる記憶制御手段とを備える、画像形成装置。
【請求項９】
ネットワークを介して取得したＷｅｂページを表示可能な画像形成装置であって、
操作命令を受け付ける操作部と、
前記操作命令に基づき前記ネットワークを介して外部のアドレスから前記Ｗｅｂページを受信する通信部と、
受信した前記Ｗｅｂページを表示する表示部と、
表示した前記Ｗｅｂページに対応するアドレスを記憶する記憶媒体とを備え、
前記操作部は、前記Ｗｅｂページに貼られているリンクを選択する選択命令を受け付け、
前記Ｗｅｂページの各々について、選択されたリンクの数をカウントするカウント手段と、
前記選択されたリンクの数が所定数に達したか否かを判断する第３の判断手段と、
前記Ｗｅｂページのうち、前記選択されたリンクの数が前記所定数に達した前記Ｗｅｂページに対応するアドレスを前記履歴情報として前記記憶媒体に記憶させる記憶制御手段とをさらに備える、画像形成装置。
【請求項１０】
前記記憶媒体に記憶されている前記履歴情報をプリントするプリント部をさらに備え、
前記記憶制御手段は、前記プリント部によってプリントされた前記履歴情報を前記記憶媒体から消去する、請求項１から９のいずれか１項に記載の画像形成装置。
【請求項１１】
前記Ｗｅｂページをプリントするプリント部をさらに備え、
前記Ｗｅｂページに関連する操作命令は、表示中の前記Ｗｅｂページをプリントする命令を含む、請求項１から９のいずれか１項に記載の画像形成装置。
【請求項１２】
前記操作部は、前記履歴情報を表示する旨の表示命令を受け付け、
前記表示部は、前記表示命令に応じて、前記記憶媒体から前記履歴情報を読み出して一覧表示する、請求項１から１１のいずれか１項に記載の画像形成装置。
【請求項１３】
ネットワークを介して取得したＷｅｂページを表示可能な画像形成装置におけるアドレス記憶方法であって、
前記画像形成装置は、
操作命令を受け付ける操作部と、
前記操作命令に基づき前記ネットワークを介して外部のアドレスから前記Ｗｅｂページを受信する通信部と、
受信した前記Ｗｅｂページを表示する表示部と、
表示した前記Ｗｅｂページに対応するアドレスを記憶する記憶媒体と、
前記画像形成装置の各部を制御する演算処理部とを備え、
前記演算処理部が、前記Ｗｅｂページの表示中に前記操作部が前記Ｗｅｂページに関連する操作命令を受け付けたことを検知するステップと、
前記演算処理部が、前記Ｗｅｂページのうち、表示中に前記操作部が前記Ｗｅｂページに関連する操作命令を受け付けたＷｅｂページに対応するアドレスを履歴情報として前記記憶媒体に記憶させるステップとを備える、アドレス記憶方法。
【請求項１４】
ネットワークを介して取得したＷｅｂページを表示可能な画像形成装置にアドレスを記憶させるアドレス記憶プログラムであって、
前記画像形成装置は、
操作命令を受け付ける操作部と、
前記操作命令に基づき前記ネットワークを介して外部のアドレスから前記Ｗｅｂページを受信する通信部と、
受信した前記Ｗｅｂページを表示する表示部と、
表示した前記Ｗｅｂページに対応するアドレスを記憶する記憶媒体と、
前記画像形成装置の各部を制御する演算処理部とを備え、
前記アドレス記憶プログラムは、前記演算処理部に、
前記Ｗｅｂページの表示中に前記操作部が前記Ｗｅｂページに関連する操作命令を受け付けたことを検知するステップと、
前記Ｗｅｂページのうち、表示中に前記操作部が前記Ｗｅｂページに関連する操作命令を受け付けたＷｅｂページに対応するアドレスを履歴情報として前記記憶媒体に記憶させるステップとを実行させる、アドレス記憶プログラム。
【発明の詳細な説明】
【技術分野】
【０００１】
この発明は、ネットワークに接続可能な画像形成装置、アドレス記憶方法、およびアドレス記憶プログラムに関し、特にネットワークを介して取得したＷｅｂページのアドレスを記憶する画像形成装置、当該画像形成装置におけるアドレス記憶方法、および当該画像形成装置にて実行されるアドレス記憶プログラムに関する。
【背景技術】
【０００２】
ネットワークを介して外部のＷｅｂサーバにアクセスする機能を搭載した画像形成装置において、Ｗｅｂブラウザを利用できる画像形成装置が知られている。そのような画像形成装置においては、Ｗｅｂブラウザを利用してネットワークからダウンロードされた情報（Ｗｅｂページ）を表示部が表示する。そして、ダウンロードされたＷｅｂページをプリント部が印刷する。そして、Ｗｅｂブラウザは、表示したＷｅｂページの履歴情報（ＷｅｂページのアドレスおよびＷｅｂページの名前など）を記憶することによって、再度Ｗｅｂページにアクセスする時に、記憶された複数のアドレスから目的のアドレスを選択することができる。その結果、ユーザは、目的のアドレスを手入力すること無く、過去に閲覧したＷｅｂページを簡単に閲覧することができる。
【０００３】
ところが、画像形成装置が閲覧したＷｅｂページの全てのアドレスを履歴アドレスとして残すと、履歴アドレスが大量となって、履歴アドレスを記憶するためのメモリ容量が増える。また、ユーザが、後で履歴アドレスの中から目的のアドレスを探すのに時間がかかってしまう。そこで、Ｗｅｂページの履歴アドレスを残すための技術が提案されている。
【０００４】
たとえば、特開平１１−１５８４７号公報（特許文献１）には、ＨＴＭＬコンテンツの履歴保存方法が開示されている。特開平１１−１５８４７号公報（特許文献１）によると、Ｗｅｂブラウザ上で動作するＨＴＭＬにより記述された複数のファイルにより構成されるコンテンツが、少なくとも第１および第２の２つのフレームを有し、上記第１のフレームに読み込まれたＨＴＭＬファイルをユーザ操作により別のＨＴＭＬファイルに変更することを指示する手段と、上記第２のフレームに読み込まれたＨＴＭＬファイルに上記第１のフレームに対するユーザ操作の履歴に相当するデータを記憶させる手段を有する。また、コンテンツが、画面に表示させたＨＴＭＬファイルの履歴を、その表示継続時間に応じて保存するか否かを決める手段を有する。
【特許文献１】特開平１１−１５８４７号公報
【発明の開示】
【発明が解決しようとする課題】
【０００５】
しかしながら、上述したように、所定時間以上閲覧していたＷｅｂページのアドレスのみを残す技術が知られているが、Ｗｅｂページごとに、コンテンツの内容や、画面構成が異なるので、ユーザが必要とするＷｅｂページのアドレスが残されない場合がある。例えば、テキスト主体のコンテンツの場合、重要度の低いものであっても、コンテンツを把握するために、ユーザはある程度の時間をかけてコンテンツを閲覧する必要がある。逆に写真やイラストなどを中心としたコンテンツの場合、重要度の高いものであっても、ユーザはコンテンツの内容を短時間で把握できる。このように、従来の履歴保存方法においては、重要度の低いＷｅｂページのアドレスが記憶されて、重要度の高いＷｅｂページのアドレスが記憶されない、という不具合が生じる虞がある。
【０００６】
この発明は、かかる問題を解決するためになされたものであり、その目的は、効率良く履歴アドレスを記憶することによって、ユーザが履歴アドレスに効率良く再アクセスできる画像形成装置、アドレス記憶方法、アドレス記憶プログラムを提供することである。
【課題を解決するための手段】
【０００７】
この発明のある局面に従うと、ネットワークを介して取得したＷｅｂページを表示可能な画像形成装置が提供される。画像形成装置は、操作命令を受け付ける操作部と、操作命令に基づきネットワークを介して外部のアドレスからＷｅｂページを受信する通信部と、受信したＷｅｂページを表示する表示部と、表示したＷｅｂページに対応するアドレスを記憶する記憶媒体と、Ｗｅｂページの表示中に操作部がＷｅｂページに関連する操作命令を受け付けたことを検知する検知手段と、Ｗｅｂページのうち、表示中に操作部がＷｅｂページに関連する操作命令を受け付けたＷｅｂページに対応するアドレスを履歴情報として記憶媒体に記憶させる記憶制御手段とを含む。
【０００８】
好ましくは、Ｗｅｂページに関連する操作命令は、表示エリアを変更する命令を含む。
好ましくは、Ｗｅｂページに関連する操作命令は、文字の表示サイズを変更する命令を含む。
【０００９】
好ましくは、Ｗｅｂページに関連する操作命令は、Ｗｅｂページ内を検索する命令を含む。
【００１０】
この発明の別の局面に従うと、ネットワークを介して取得したＷｅｂページを表示可能な画像形成装置が提供される。画像形成装置は、操作命令を受け付ける操作部と、操作命令に基づきネットワークを介して外部のアドレスからＷｅｂページを受信する通信部と、受信したＷｅｂページを表示する表示部と、表示したＷｅｂページに対応するアドレスを記憶する記憶媒体と、Ｗｅｂページの各々の表示時間を測定する測定手段と、表示時間が第１の所定時間に達したか否かを判断する第１の判断手段と、Ｗｅｂページのうち、表示時間が第１の所定時間に達したＷｅｂページに対応するアドレスを履歴情報として記憶媒体に記憶させる記憶制御手段とを含む。
【００１１】
好ましくは、記憶制御手段は、Ｗｅｂページの表示開始後、最初に表示されたＷｅｂページに対応するアドレスを履歴情報として記憶媒体に保持させる。
【００１２】
好ましくは、記憶制御手段は、Ｗｅｂページの表示終了時に表示されているＷｅｂページに対応するアドレスを履歴情報として記憶媒体に保持させる。
【００１３】
この発明の別の局面に従うと、ネットワークを介して取得したＷｅｂページを表示可能な画像形成装置が提供される。画像形成装置は、操作命令を受け付ける操作部と、操作命令に基づきネットワークを介して外部のアドレスからＷｅｂページを受信する通信部と、受信したＷｅｂページを表示する表示部と、表示したＷｅｂページに対応するアドレスを記憶する記憶媒体と、新たに表示されるＷｅｂページに対応するアドレスの階層が、１つ前に表示されたＷｅｂページに対応するアドレスの階層よりも深いか否かを判断する第２の判断部と、新たに表示されるＷｅｂページに対応するアドレスの階層が、１つ前に表示されたＷｅｂページに対応するアドレスの階層よりも深くない場合に、１つ前に表示されていたＷｅｂページに対応するアドレスを履歴情報として記憶媒体に記憶させる記憶制御手段とを含む。
【００１４】
この発明の別の局面に従うと、ネットワークを介して取得したＷｅｂページを表示可能な画像形成装置であって、操作命令を受け付ける操作部と、操作命令に基づきネットワークを介して外部のアドレスからＷｅｂページを受信する通信部と、受信したＷｅｂページを表示する表示部と、表示したＷｅｂページに対応するアドレスを記憶する記憶媒体とを含み、操作部は、Ｗｅｂページに貼られているリンクを選択する選択命令を受け付け、Ｗｅｂページの各々について、選択されたリンクの数をカウントするカウント手段と、選択されたリンクの数が所定数に達したか否かを判断する第３の判断手段と、Ｗｅｂページのうち、選択されたリンクの数が所定数に達したＷｅｂページに対応するアドレスを履歴情報として記憶媒体に記憶させる記憶制御手段とをさらに含む。
【００１５】
好ましくは、画像形成装置は、記憶媒体に保持されている履歴情報をプリントするプリント部をさらに含む。記憶制御手段は、プリント部によってプリントされた履歴情報を記憶媒体から消去する。
【００１６】
好ましくは、画像形成装置は、Ｗｅｂページをプリントするプリント部をさらに含む。Ｗｅｂページに関連する操作命令は、表示中のＷｅｂページをプリントする命令を含む。
【００１７】
好ましくは、操作部は、履歴情報を表示する旨の表示命令を受け付ける。表示部は、表示命令に応じて、記憶媒体から履歴情報を読み出して一覧表示する。
【００１８】
この発明の別の局面に従うと、ネットワークを介して取得したＷｅｂページを表示可能な画像形成装置におけるアドレス記憶方法が提供される。画像形成装置は、操作命令を受け付ける操作部と、操作命令に基づきネットワークを介して外部のアドレスからＷｅｂページを受信する通信部と、受信したＷｅｂページを表示する表示部と、表示したＷｅｂページに対応するアドレスを保持する記憶媒体と、画像形成装置の各部を制御する演算処理部とを含む。アドレス記憶方法は、演算処理部が、Ｗｅｂページの表示中に操作部がＷｅｂページに関連する操作命令を受け付けたことを検知するステップと、演算処理部が、Ｗｅｂページのうち、表示中に操作部が所定の操作命令を受け付けたＷｅｂページに対応するアドレスを履歴情報として記憶媒体に保持させるステップとを含む。
【００１９】
この発明の別の局面に従うと、ネットワークを介して取得したＷｅｂページを表示可能な画像形成装置にアドレスを記憶させるアドレス記憶プログラムが提供される。画像形成装置は、操作命令を受け付ける操作部と、操作命令に基づきネットワークを介して外部のアドレスからＷｅｂページを受信する通信部と、受信したＷｅｂページを表示する表示部と、表示したＷｅｂページに対応するアドレスを保持する記憶媒体と、画像形成装置の各部を制御する演算処理部とを含む。アドレス記憶プログラムは、演算処理部に、Ｗｅｂページの表示中に操作部がＷｅｂページに関連する操作命令を受け付けたことを検知するステップと、Ｗｅｂページのうち、表示中に操作部が所定の操作命令を受け付けたＷｅｂページに対応するアドレスを履歴情報として記憶媒体に保持させるステップとを実行させる。
【発明の効果】
【００２０】
この発明によれば、効率良く履歴アドレスを記憶することによって、ユーザが履歴アドレスに効率良く再アクセスできる画像形成装置、アドレス記憶方法、アドレス記憶プログラムが提供される。
【発明を実施するための最良の形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
［第１の実施の形態］
（画像形成システムの全体構成）
まず、本実施の形態に係る画像形成システムの全体構成について説明する。図１は、本発明の本実施の形態に係る画像形成システム１の概略構成図である。
【００２３】
図１を参照して、画像形成装置ＭＦＰと、画像形成装置ＭＦＰとネットワークＮＷを介して接続されたＷｅｂサーバＳＲＶとから、画像形成システム１が構成される。
【００２４】
ＷｅｂサーバＳＲＶと、画像形成装置ＭＦＰとは、相互にデータ通信可能に構成される。なお、ネットワークＮＷは、ＬＡＮ（Local Area Network）やＷＡＮ（Wide Area Network）などの専用回線や、インターネットや仮想プライベートネットワーク（Virtual Private Network）などの公衆回線からなり、さらにその一部または全部が無線ＬＡＮなどの無線通信回線であってもよい。
【００２５】
画像形成装置ＭＦＰは、代表的に、複写機能、ファクシミリ機能およびスキャナ機能といった複数の機能を搭載したＭＦＰ（Multi Function Peripheral）である。画像形成装置ＭＦＰは、ユーザ操作に応じて、ＷｅｂサーバＳＲＶに格納されているデータを引き出す、すなわちデータを取得するための要求をＷｅｂサーバＳＲＶへ送信する。そして、画像形成装置ＭＦＰは、ＷｅｂサーバＳＲＶからのデータに基づいて表示処理を行ったり、画像形成処理を行う。なお、画像形成処理は、紙媒体への印刷やファクシミリによる送信などを含む。
【００２６】
本実施の形態に係る画像形成装置ＭＦＰは、インターネットを含むネットワークＮＷを介して、複数のＷｅｂサーバＳＲＶ（たとえば、ＷｅｂサーバＡ，ＷｅｂサーバＢ，・・・）に接続可能に構成されている。各々のＷｅｂサーバには、ＷｅｂサーバＳＲＶを特定するための所定のアドレスが割り当てられている。ＷｅｂサーバＳＲＶは、画像データや文書データなどを含む各種のＷｅｂページを記憶している。そして、それぞれのＷｅｂページには、所定のアドレス（ＵＲＬ）が割り当てられている。ＷｅｂサーバＳＲＶは、画像形成装置ＭＦＰからの要求に応じ、指定されたアドレスのＷｅｂページを呼び出して、当該Ｗｅｂページをその画像形成装置ＭＦＰに送信する。
【００２７】
そして、画像形成装置ＭＦＰは、ＷｅｂサーバＳＲＶにＷｅｂページを要求するための機能として、Ｗｅｂブラウザを有している。そして、画像形成装置ＭＦＰは、Ｗｅｂブラウザを用いることによって、ＷｅｂサーバＳＲＶからＷｅｂページをダウンロードする。画像形成装置ＭＦＰは、ダウンロードしたＷｅｂページを表示したり、印刷したりする。
【００２８】
特に、本実施の形態に係る画像形成装置ＭＦＰは、Ｗｅｂページをダウンロードする際に、そのＷｅｂページが格納されているＷｅｂサーバＳＲＶのアドレスを閲覧アドレスとして取り扱う。そして、画像形成装置ＭＦＰは、上記の閲覧アドレスのうち、ユーザにとって重要度の高いＷｅｂページのアドレス、すなわち、ユーザが興味を示したＷｅｂページのアドレスを履歴アドレス（履歴情報）として記憶（保持）する。
【００２９】
なお、アドレスを履歴アドレスとして記憶することは、アドレスを再利用可能な状態で記憶媒体に記憶することであって、たとえばアドレスに基づいて対応するＷｅｂページに再度アクセスすることができる状態で保持することをいう。
【００３０】
あるいは、閲覧アドレスは、画像形成装置ＭＦＰがＷｅｂページをダウンロードする際に、一時的に記憶される。一方、履歴アドレスは、画像形成装置ＭＦＰがＷｅｂページをダウンロードし終わった後においても、外部から呼び出し可能な状態で記憶される。
【００３１】
あるいは、閲覧アドレスは、揮発性の第１の記憶媒体に格納される。一方、履歴アドレスは、不揮発性の第２の記憶媒体に格納される。
【００３２】
あるいは、閲覧アドレスは、Ｗｅｂブラウザの動作が終了した際に消去される。一方、履歴アドレスは、Ｗｅｂブラウザの動作が終了した後においても、外部から呼び出し可能な状態で保持される。
【００３３】
以下、このような機能を実現するための構成について詳述する。
（画像形成装置ＭＦＰのハードウェア構成）
次に、本実施の形態に係る画像形成装置ＭＦＰのハードウェア構成について説明する。図２は、本実施の形態に係る画像形成装置ＭＦＰのハードウェア構成を示す模式図である。
【００３４】
図２を参照して、画像形成装置ＭＦＰは、ＣＰＵ（Central Processing Unit）１００と、ＲＯＭ（Read Only Memory）１０２と、Ｓ−ＲＡＭ（Static-Random Access Memory）１０４と、ＮＶ−ＲＡＭ（Non-Volatile Random Access Memory）１０６と、時計ＩＣ（Integrated Circuit）１０８とを含む。これらの部位は、バス１２４を介して互いに接続される。
【００３５】
ＣＰＵ１００は、ＲＯＭ１０２などに予め格納されたプログラムを、作業用メモリであるＳ−ＲＡＭ１０４に読み出して実行することで、本実施の形態に係る処理を実現する。また、ＮＶ−ＲＡＭ１０６は、ＭＦＰにおける画像形成に係る各種の設定を不揮発的に格納する。時計ＩＣ１０８は、水晶発振器などを含んで構成され、現在時刻を計測する。
【００３６】
さらに、画像形成装置ＭＦＰは、読取部１１２と、操作パネル１１４と、プリント部１１６と、プリンタコントローラ１１８と、出力処理部１２０とを含む。
【００３７】
読取部１１２は、スキャナ機能を実現するための部位であり、原稿を読取って画像データを生成する。代表的に、読取部１１２は、原稿をセットするための載置台と、原稿台ガラスと、載置台にセットされた原稿を原稿台ガラスに自動的に一枚ずつ搬送する搬送部と、読取られた原稿を排出するための排出台とを含む（いずれも図示しない）。
【００３８】
操作パネル１１４は、テンキー１３０と、ＰＲＩＮＴキー１３２と、ログオフキー１３４と、操作部１３６と、表示部１３８とを一体化したものであり、画像形成装置ＭＦＰの表面部に配置される。テンキー１３０、ＰＲＩＮＴキー１３２、ログオフキー１３４および操作部１３６は、ユーザによる操作を受け付ける入力部として機能する。
【００３９】
操作部１３６は、たとえば、透明タッチパネルなどによって構成される。操作部１３６は、画像形成装置ＭＦＰがＷｅｂページをダウンロードする際に、ユーザからＷｅｂページのアドレスを受け付ける。操作部１３６が受け付けたアドレスは、Ｓ−ＲＡＭ１０４に一時的に記憶される。
【００４０】
表示部１３８はユーザに各種設定や選択を促すための画面を表示する表示部として機能する。表示部１３８は、代表的にＬＣＤ（Liquid Crystal Display）などから構成され、この表示部１３８の表示面に操作部１３６が配置される。表示部１３８は、ダウンロードしたＷｅｂページを表示する。
【００４１】
プリント部１１６は、紙媒体への画像のプリント処理を行うための部位であり、代表的に、露光器や現像ローラからなる作像ユニット、作像ユニットで形成されたトナー像を紙媒体に転写する転写ローラ、転写されたトナー像を定着させる定着器、および各部の作動を制御する制御回路などを含む。
【００４２】
プリンタコントローラ１１８は、ＷｅｂサーバＳＲＶやパーソナルコンピュータからのプリントデータ（Ｗｅｂページ）や、読取部１１２で読取られた画像データを、プリント部１１６でのプリント処理に適したデータに変換する。代表的に画像形成装置ＭＦＰがカラー方式であれば、プリンタコントローラ１１８は、プリントデータ（Ｗｅｂページ）や他の画像データをイエロー（Ｙ）、マゼンタ（Ｍ）、シアン（Ｃ）、ブラック（Ｋ）の４色のラスターデータに変換し、各色のラスターデータをプリント部１１６へ出力する。
【００４３】
出力処理部１２０は、プリント部１１６で画像形成された後の紙媒体に対する処理を行う部位であり、代表的に「ソート処理」、「グループ処理」、「ステープル処理」、「パンチ処理」などを実行する。ここで、「ソート処理」とは、たとえば複数ページの文書を複数部数だけ出力する場合などに、当該文書と同一のページ揃えに従って画像が形成された紙媒体が設定された複数部数だけ出力される処理であって、いわゆる部単位印刷を意味する。「グループ処理」とは、設定された複数部数の紙媒体が当該文書のページ毎に出力される処理である。また、「ステープル処理」は、出力される紙媒体を綴じ針（ステープル）によって綴じる処理であり、「パンチ処理」は、出力される紙媒体に綴じ穴を形成する処理である。
【００４４】
さらに、画像形成装置ＭＦＰは、ハードディスク（ＨＤＤ：Hard Disk Drive）１１０と、通信部（ネットワークインターフェイス）１２２とを含む。
【００４５】
ハードディスク１１０は、比較的大容量のデータを不揮発的に格納する記憶部であり、ＷｅｂサーバＳＲＶからのＷｅｂページや読取部１１２で読取られた画像データなどを格納する。通信部１２２は、ネットワークＮＷを介してパーソナルコンピュータやＷｅｂサーバＳＲＶとの間でデータ通信するための部位である。
【００４６】
なお、Ｓ−ＲＡＭ１０４は、ＷｅｂサーバＳＲＶからＷｅｂページをダウンロードする際に、Ｗｅｂページが格納されているアドレスを、閲覧アドレスとして一時的に記憶する。また、Ｓ−ＲＡＭ１０４は、ＷｅｂサーバＳＲＶからダウンロードされたＷｅｂページを一時的に記憶する。一方、ＮＶ−ＲＡＭ１０６あるいはハードディスク１１０は、Ｗｅｂページが表示されているときにユーザから所定の操作を受け付けた当該Ｗｅｂページに対応するアドレスを、履歴アドレスとして呼び出し可能に記憶する。
【００４７】
音声出力部１４０は、スピーカなどから構成されるものであって、画像形成装置ＭＦＰ自体の使用方法や画像形成装置ＭＦＰに搭載されている機能などに関するガイダンス音声や警告音などを出力する。
【００４８】
このような構成により、ＣＰＵ１００は、ＷｅｂサーバＳＲＶの指定のアドレスにアクセスすることによってダウンロードしたＷｅｂページを操作パネル１１４の表示部１３８に表示させる。操作パネル１１４の操作部１３６を介して受け付けたユーザの操作命令に基づいて、ＣＰＵ１００は、Ｗｅｂページの切り替え（新たなＷｅｂページのダウンロード）や、表示部１３８が表示するＷｅｂページのスクロールなどを行う。ＣＰＵ１００は、操作部１３６を介して入力される操作命令を監視して、所定の操作命令に応じて閲覧アドレスを履歴アドレスとしてのＮＶＲＡＭ１０６やハードディスク１１０に記憶する。なお、表示部１３８は、操作部１３６を介して入力される表示命令に応じて履歴アドレスを表示する。同様に、プリンタコントローラ１１８は履歴アドレスやＷｅｂページを画像形成処理し、プリント部１１６が履歴アドレスやＷｅｂページを用紙に印字する。
【００４９】
ここで、操作パネル１１４について説明する。図３は、操作パネル１１４を示す概略図である。前述したように、操作パネル１１４は、表示部１３８を介して、閲覧アドレスや、Ｗｅｂページや、履歴アドレスを表示する。なお、閲覧アドレスはユーザからの入力データに基づいて表示される。そして、Ｗｅｂページや履歴アドレスは、ＣＰＵ１００からのデータに基づいて表示される。
【００５０】
操作パネル１１４は、表示部１３８に重ね合わせて配置される操作部１３６を介して、Ｗｅｂページのアドレスや、Ｗｅｂページに含まれるリンク先の選択する選択命令、あるいはＷｅｂページの表示エリアを移動させるためのスクロール命令などを受け付ける。操作部１３６は、ユーザから入力される操作命令を、ＣＰＵ１００に入力する。
【００５１】
図４は、表示部１３８における通常モードの表示画面を示す第１のイメージ図である。図４を参照して、通常モードにおいて、表示部１３８は、画面中央にＷｅｂページを表示するＷｅｂページ表示エリア１３８Ａ、画面上部にＷｅｂページのアドレスを入力／表示するアドレス入力エリア１３８Ｂ、Ｗｅｂページの更新や前後のＷｅｂページの表示を行うための操作ボタン１３８Ｃを表示する。より詳細には、通常モードにおいて、表示部１３８は、閲覧したＷｅｂページの履歴アドレスを表示するための履歴表示ボタン１３８Ｄや戻るボタン１３８Ｆを表示する。
【００５２】
ユーザは、この履歴表示ボタン１３８Ｄを操作することによって、表示部１３８による表示を後述する履歴モードに切り替えることができる。
【００５３】
図５は、表示部１３８における履歴モードの表示画面を示すイメージ図である。図５を参照して、履歴モードにおいて、表示部１３８は、画面右下にＷｅｂページを表示するＷｅｂページ表示エリア１３８Ａ、画面右上にＷｅｂページのアドレスを入力／表示するアドレス入力エリア１３８Ｂ、Ｗｅｂページの更新や前後のＷｅｂページの表示を行うための操作ボタン１３８Ｃを表示する。そして、履歴モードにおいて、表示部１３８は、画面左部に閲覧したＷｅｂページの履歴アドレスを表示する履歴アドレス表示エリア１３８Ｅを表示する。
【００５４】
ユーザは、戻るボタン１３８Ｆを操作することによって、表示部１３８による表示を通常モードに切り替えることができる。
【００５５】
（画像形成装置ＭＦＰの機能構成）
次に、本実施の形態に係る画像形成装置ＭＦＰの機能構成について説明する。図６は、本発明の本実施の形態に係る画像形成装置ＭＦＰにおける機能構成を示すブロック図である。図６を参照して、画像形成装置ＭＦＰは、通信部１２２と、操作部１３６と、表示部１３８と、プリント部１１６と、時計ＩＣ１０８と、検知部１００Ａと、測定部１００Ｂと、第１の判断部１００Ｃと、第２の判断部１００Ｄと、カウント部１００Ｅと、第３の判断部１００Ｆと、記憶制御部１００Ｇと、記憶媒体１０５とをその機能として含む。
【００５６】
前述したように、操作部１３６と表示部１３８とは、操作パネル１１４によって実現されるものである。操作部１３６は、Ｗｅｂページのアドレスを含むアクセス命令や、Ｗｅｂページや履歴アドレスを表示する表示命令や、Ｗｅｂページの表示状態を変更する命令や、Ｗｅｂページや履歴アドレスを印刷する印刷命令や、印刷に関する各種の設定命令などを受け付ける。表示部１３８は、たとえば、ネットワークＮＷや通信部１２２を介して外部のアドレス（ＷｅｂサーバＳＲＶ）から受信したＷｅｂページのデータなどに基づいて、Ｗｅｂページを表示する。表示部１３８は、操作部１３６を介して入力される履歴アドレスの一覧を表示する旨の表示命令に基づいて、履歴アドレスの一覧を表示する。
【００５７】
検知部１００Ａと、測定部１００Ｂと、第１の判断部１００Ｃと、第２の判断部１００Ｄと、カウント部１００Ｅと、第３の判断部１００Ｆと、記憶制御部１００Ｇとは、ＣＰＵ１００がＲＯＭ１０２やハードディスク１１０などに予め格納されていたプログラムをＳ−ＲＡＭ１０４に読出して実行することで実現されるものである。すなわち、検知部１００Ａと、測定部１００Ｂと、第１の判断部１００Ｃと、第２の判断部１００Ｄと、カウント部１００Ｅと、第３の判断部１００Ｆと、記憶制御部１００Ｇとは、画像形成装置ＭＦＰのＣＰＵ１００が有する機能である。
【００５８】
記憶媒体１０５は、Ｓ−ＲＡＭ１０４あるいはＮＶ−ＲＡＭ１０６あるいはハードディスク１１０の所定の領域に形成される。記憶媒体１０５は、表示したＷｅｂページのアドレスを、たとえばＳ−ＲＡＭ１０４などに閲覧アドレスとして記憶する。記憶媒体１０５は、表示したＷｅｂページ（第１のＷｅｂページ）のうち、表示中に操作部１３６が所定の操作命令を受け付けたＷｅｂページ（第２のＷｅｂページ）のアドレスを、たとえば、ＮＶ−ＲＡＭ１０６あるいはハードディスク１１０などに履歴アドレスとして記憶する。
【００５９】
すなわち、本実施の形態に係る記憶媒体１０５は、一時的に記憶した閲覧アドレスのうち、所定条件を満たすアドレスを履歴アドレスとして保持するものである。
【００６０】
図７は、記憶媒体１０５に記憶されている閲覧アドレスデータ１０４Ａのデータ構造を示すイメージ図である。図６および図７を参照して、本実施の形態における画像形成装置ＭＦＰにおいては、記憶媒体１０５を実現するＳ−ＲＡＭ１０４は、閲覧アドレスデータ１０４Ａを揮発的に記憶する。閲覧アドレスデータ１０４Ａは、表示部１３８が表示した（通信部１２２が受信した）Ｗｅｂページ毎に、Ｗｅｂページのページ名、Ｗｅｂページのアドレス（閲覧アドレス）、Ｗｅｂページが表示された日時、Ｗｅｂページが表示された時間、Ｗｅｂページに含まれるリンク数、操作部１３６を介して選択されたリンクの数、Ｗｅｂページが表示された回数、記憶フラグのＯＮ／ＯＦＦを示すフラグを格納する。
【００６１】
なお、記憶制御部１００Ｇが、ダウンロードされたＷｅｂページのアドレスを履歴アドレスとして記憶すべきであると判断した際に、当該Ｗｅｂページの記憶フラグがＯＮされる。
【００６２】
記憶媒体１０５を実現するＮＶ−ＲＡＭ１０６あるいはハードディスク１１０は、図示しない履歴アドレスデータ１０６Ａを不揮発的に記憶する。履歴アドレスデータ１０６Ａは、記憶制御部１００Ｇが履歴アドレスとして記憶すべきであると判断したＷｅｂページのアドレスとページ名のみを格納してもよい。あるいは、履歴アドレスデータ１０６Ａは、閲覧アドレスデータ１０４Ａと同様のデータ構造を有してもよく、記憶フラグがＯＮのＷｅｂページに関するデータのみを格納してもよい。
【００６３】
ただし、記憶制御部１００Ｇは、Ｗｅｂページのアドレスを、履歴アドレスとして、Ｗｅｂページをダウンロードし終わった後においても外部から呼び出し可能な状態でＳ−ＲＡＭ１０４に記憶してもよい。あるいは、記憶制御部１００Ｇは、Ｗｅｂページのアドレスを、履歴アドレスとして、不揮発性のＮＶ−ＲＡＭ１０６やハードディスク１１０に記憶してもよい。あるいは、記憶制御部１００Ｇは、Ｗｅｂページのアドレスを、履歴アドレスとして、Ｗｅｂブラウザの動作が終了した後においても、外部から呼び出し可能な状態でＳ−ＲＡＭ１０４やＮＶ−ＲＡＭ１０６やハードディスク１１０に記憶してもよい。
【００６４】
図６に戻って、検知部１００Ａは、Ｗｅｂページの表示中に操作部１３６が所定の操作命令を受け付けたことを検知する。
【００６５】
ここで、所定の操作命令は、表示エリアを変更する命令を含む。図８（Ａ）は、表示エリアをスクロールする状態を示すイメージ図であって、図８（Ｂ）は、表示エリアを広げる状態を示すイメージ図である。
【００６６】
図８（Ａ）を参照して、表示部１３８は、ＷｅｂサーバＳＲＶからダウンロードしたＷｅｂページの全体エリア１３８０のうち、表示部１３８のサイズに対応した第１の表示エリア１３８１を表示する。表示部１３８は、操作部１３６を介してユーザから入力されるページをスクロールするスクロール命令を受け付けて、表示エリアを変更する。すなわち、表示部１３８は、スクロール命令を受け付けて、表示部１３８のサイズに対応した第２の表示エリア１３８２を表示する。
【００６７】
図８（Ｂ）を参照して、表示部１３８は、ＷｅｂサーバＳＲＶからダウンロードしたＷｅｂページの全体エリア１３８０のうち、表示部１３８のサイズに対応した第３の表示エリア１３８３を表示する。表示部は、操作部１３６を介してユーザから入力される表示倍率の変更命令を受け付けて、表示エリアの縮尺率を変更する。より詳細には、表示部１３８は、変更後の縮尺率にてＷｅｂページの第４の表示エリア１３８４を表示する。図８（Ｂ）は、縮尺率を小さくする変更命令に応じて、表示部１３８が第３の表示エリア１３８３よりも大きな第４の表示エリア１３８４を表示する場合を示す。
【００６８】
図９は、表示部１３８における通常モードの表示画面を示す第２のイメージ図である。図９を参照して、通常モードにおいて、表示部１３８は、Ｗｅｂページ表示エリア１３８Ａと、アドレス入力エリア１３８Ｂと、操作ボタン１３８Ｃを表示する。より詳細には、通常モードにおいて、表示部１３８は、履歴表示ボタン１３８Ｄと戻るボタン１３８Ｆに加えて、スクロールバー１３８Ｇと表示変倍ボタン１３８Ｈとを表示する。
【００６９】
図８（Ａ）および図９を参照して、表示部１３８は、ユーザがスクロールバー１３８Ｇを移動させたことを受け付けて、表示するエリアを第１の表示エリア１３８１から第２の表示エリア１３８２へと変更する。図８（Ｂ）および図９を参照して、表示部１３８は、ユーザが表示変倍ボタン１３８Ｈ（表示縮小ボタン）を押下したことを受け付けて、表示するエリアを第３の表示エリア１３８３よりも広い第４の表示エリア１３８４へと変更する。逆に、表示部１３８は、ユーザが表示変倍ボタン１３８Ｈ（表示拡大ボタン）を押下したことを受け付けて、表示するエリアを第４の表示エリア１３８４よりも狭い第３の表示エリア１３８３へと変更する。
【００７０】
図６に戻って、操作部１３６が受け付ける所定の操作命令は、文字の表示サイズを変更する命令を含んでもよい。あるいは、所定の操作命令は、Ｗｅｂページ内を検索する命令を含んでもよい。あるいは、所定の操作命令は、表示中のＷｅｂページをプリント部１１６にプリントさせる命令を含んでもよい。
【００７１】
ユーザが上記のような所定の操作を行ったＷｅｂページは、ユーザが興味を持っているコンテンツを含んでいる可能性が高い。そのため、本実施の形態に係る画像形成装置ＭＦＰは、そのようなＷｅｂページのアドレスを履歴アドレスとして記憶することによって、効率的に履歴アドレスを保持することができる。
【００７２】
測定部１００Ｂは、時計ＩＣ１０８からの時刻データに基づいて、表示部１３８が各々のＷｅｂページを表示する表示時間を測定する。測定部１００Ｂは、各々のＷｅｂページの表示時間を、閲覧アドレスデータ１０４Ａに格納する。
【００７３】
第１の判断部１００Ｃは、各々のＷｅｂページについて、表示時間が第１の所定時間に達したか否かを判断する。すなわち、第１の判断部１００Ｃは、ユーザが対象となるＷｅｂページを所定時間以上閲覧したか否かを判断するものであって、表示時間が所定時間を超えたＷｅｂページはユーザが興味を示したものとみなす。
【００７４】
図１０は、ＷｅｂサーバＳＲＶからダウンロードされるＷｅｂページのアドレスの階層関係を示す第１のイメージ図である。図１０を参照して、Ｗｅｂサイトは、複数のＷｅｂページがリンクし合って繋がる階層構造を有している。通常、ユーザは、トップのページから、リンク先をたどり奥の階層へ進んで行く。ユーザが目的とするＷｅｂページに到達するまでの間には、目的としないＷｅｂページ、いわゆる通過点となるＷｅｂページがある。本実施の形態に係る画像形成装置ＭＦＰは、それらのＷｅｂページを履歴アドレスとして記憶しないことによって、重要度の高いＷｅｂページのアドレスのみを履歴アドレスとして記憶媒体１０５に記憶する。
【００７５】
たとえば、トップページにページ１、ページ２の２つのＷｅｂページがリンクされている。ページ１には、ページ１−１、１−２、１−３の３つのＷｅｂページがリンクされている。ページ２には、ページ２−１、２−２、２−３の３つのＷｅｂページがリンクされている。さらに、第２階層のＷｅｂページは、２つずつＷｅｂページのリンクを有する。
【００７６】
たとえば、ユーザが、トップページからＷｅｂページの閲覧を開始し、ページ１、ページ１−１、ページ１−１−２、ページ１−１、ページ１、トップページヘと閲覧を行う場合、本実施の形態に係る画像形成装置ＭＦＰは、トップページを、Ｗｅｂサイトの入り口であって重要度が高いＷｅｂページであると判断する。最も階層の深いＷｅｂページは第３階層であるページ１−１−２であるため、画像形成装置ＭＦＰは、ユーザが目的とするＷｅｂページはページ１−１−２であると判断し、ページ１−１−２をトップページと同じく重要度の高いＷｅｂページであると判断する。
【００７７】
その後、ユーザが、トップページ、ページ２、ページ２−２、他のＷｅｂページを閲覧した場合、今度は第２階層であるページ２−２が最も深い階層であるため、本実施の形態に係る画像形成装置ＭＦＰはページ２−２が重要度の高いＷｅｂページであると判断する。
【００７８】
上述の閲覧例の場合、通常の画像形成装置は、閲覧した全てのＷｅｂページのアドレスを記憶するため、トップページ、ページ１、ページ２、ページ１−１、ページ２−２、ページ１−１−２の６つのＷｅｂページのアドレスを履歴アドレスとして記憶する必要がある。一方、本実施の形態に係る画像形成装置ＭＦＰは、トップページと階層の深いＷｅｂページのみを履歴アドレスとして記憶するため、トップページ、ページ２−２、ページ１−１−２の３つのＷｅｂページのアドレスを記憶すれば足りる。すなわち、Ｗｅｂページのアドレスを効率的に記憶することによって、後でユーザが目的のＷｅｂページのアドレスを容易に見つけ出すことができる。
【００７９】
以下、より詳細に説明する。ユーザは、操作部１３６を介してＷｅｂサーバＳＲＶからトップページをダウンロードして、表示部１３８にトップページを表示させる。ユーザは、トップページのリンクを選択することによって、通信部１２２を介してページ１をダウンロードして、表示部１３８にページ１を表示させる。ユーザは、ページ１のリンクを選択することによって、通信部を介してページ１−１をダウンロードして、表示部１３８にページ１−１を表示させる。ユーザは、ページ１−１のリンクを選択することによって、通信部１２２を介してページ１−１−２をダウンロードして、表示部１３８にページ１−１−２を表示させる。
【００８０】
次に、ユーザは、戻るボタン１３８を押下することによって、あるいはページ１−１−２のリンクを選択することによって、表示部１３８に再度ページ１−１を表示させる。ユーザは、戻るボタン１３８を押下することによって、あるいはページ１−１のリンクを選択することによって、表示部１３８に再度ページ１を表示させる。ユーザは、戻るボタン１３８を押下することによって、あるいはページ１のリンクを選択することによって、表示部１３８に再度トップページを表示させる。
【００８１】
次に、ユーザは、トップページのリンクを選択することによって、通信部１２２を介してページ２をダウンロードして、表示部１３８にページ２を表示させる。ユーザは、ページ２のリンクを選択することによって、通信部を介してページ２−２をダウンロードして、表示部１３８にページ２−２を表示させる。ユーザは、ページ２−２のリンクを選択することによって、通信部１２２を介して別のＷｅｂページをダウンロードして、表示部１３８に別のＷｅｂページを表示させる。
【００８２】
図６および図１０を参照して、第２の判断部１００Ｄは、新たに表示されるＷｅｂページに対応するアドレスの階層が、１つ前に表示されたＷｅｂページに対応するアドレスの階層よりも深いか否かを判断する。たとえば、表示部１３８がページ１−１を表示した次にページ１−１−２を表示した場合、第２の判断部１００Ｄは、新たに表示されるＷｅｂページに対応するアドレスの階層が、１つ前に表示されたＷｅｂページに対応するアドレスの階層よりも深いと判断する。逆に、表示部１３８がページ１−１−２を表示した次にページ１−１を表示した場合、あるいは表示部１３８がページ２−２を表示した次に別のＷｅｂページを表示した場合、第２の判断部１００Ｄは、新たに表示されるＷｅｂページに対応するアドレスの階層が、１つ前に表示されたＷｅｂページに対応するアドレスの階層よりも深くないと判断する。
【００８３】
より詳細には、第２の判断部１００Ｄは、新たに表示されるＷｅｂページに対応するアドレスが、１つ前に表示されたＷｅｂページに対応するアドレスを含んでいるか否かに基づいて、新たに表示されるＷｅｂページに対応するアドレスの階層が、１つ前に表示されたＷｅｂページに対応するアドレスの階層よりも深いか否かを判断する。すなわち、第２の判断部１００Ｄは、新たに表示されるＷｅｂページに対応するアドレスが、１つ前に表示されたＷｅｂページに対応するアドレスを含んでいる場合に、新たに表示されるＷｅｂページに対応するアドレスの階層が、１つ前に表示されたＷｅｂページに対応するアドレスの階層よりも深いと判断する。
【００８４】
図６に戻って、カウント部１００Ｅは、Ｗｅｂページの各々について、Ｗｅｂページに含まれるリンクのうち、操作部１３６を介してユーザから選択されたリンクの数をカウントする。
【００８５】
図１１は、ＷｅｂサーバＳＲＶからダウンロードされるＷｅｂページのアドレスの階層関係を示す第２のイメージ図である。図１１を参照して、Ｗｅｂサイトは、トップページにページ１、ページ２の２つのＷｅｂページがリンクされている。ページ１には、ページ１−１、１−２がリンクされている。さらに、ページ１−１は６つのリンクを、ページ１−２は４つのリンクを有する。
【００８６】
たとえば、ユーザが、トップページから閲覧を開始して、ページ１、ページ１−１と閲覧する。その後、ユーザは、ページ１−１から、ページ１−１−１、ページ１−１−２、ページ１−１−４、ページ１−１−１の４つのＷｅｂページを閲覧し、ページ１−１に戻る。図１０に示した場合と同様に、本実施の形態に係る画像形成装置ＭＦＰは、階層を１つ上がった場合の、階層を上がる前のＷｅｂページの重要度が高いと判断し、ページ１−１−１、ページ１−１−２、ページ１−１−４、ページ１−１−５のＷｅｂページのアドレスを履歴アドレスとして記憶する。
【００８７】
更に、ユーザが、ページ１−１にリンクされた複数のＷｅｂページを閲覧していることから、画像形成装置ＭＦＰは、ページ１−１を重要度の高いＷｅｂページであると判断する。
【００８８】
図６、図７、図１１を参照して、より詳細に説明する。ユーザは、操作部１３６を介してＷｅｂサーバＳＲＶからトップページをダウンロードして、表示部１３８にトップページを表示させる。ユーザは、トップページのリンクを選択することによって、通信部１２２を介してページ１をダウンロードして、表示部１３８にページ１を表示させる。このとき、カウント部１００Ｅは、閲覧アドレスデータ１０４Ａにおけるトップページに対応する選択リンク数をインクリメントする。
【００８９】
ユーザは、ページ１のリンクを選択することによって、通信部を介してページ１−１をダウンロードして、表示部１３８にページ１−１を表示させる。このとき、カウント部１００Ｅは、閲覧アドレスデータ１０４Ａにおけるページ１に対応する選択リンク数をインクリメントする。
【００９０】
ユーザは、ページ１−１のリンクを選択することによって、通信部１２２を介してページ１−１−１をダウンロードして、表示部１３８にページ１−１−１を表示させる。このとき、カウント部１００Ｅは、閲覧アドレスデータ１０４Ａにおけるページ１−１に対応する選択リンク数をインクリメントする（選択リンク数１）。
【００９１】
ユーザは、戻るボタン１３８を押下することによって、あるいはページ１−１−１のリンクを選択することによって、表示部１３８に再度ページ１−１を表示させる。ユーザがページ１−１−１のリンクを選択した場合、カウント部１００Ｅは、閲覧アドレスデータ１０４Ａにおけるページ１−１−１に対応する選択リンク数をインクリメントする。
【００９２】
ユーザは、ページ１−１のリンクを選択することによって、通信部１２２を介してページ１−１−２をダウンロードして、表示部１３８にページ１−１−２を表示させる。このとき、カウント部１００Ｅは、閲覧アドレスデータ１０４Ａにおけるページ１−１に対応する選択リンク数を再度インクリメントする（選択リンク数２）。
【００９３】
ユーザは、戻るボタン１３８を押下することによって、あるいはページ１−１−２のリンクを選択することによって、表示部１３８に再度ページ１−１を表示させる。ユーザがページ１−１−２のリンクを選択した場合、カウント部１００Ｅは、閲覧アドレスデータ１０４Ａにおけるページ１−１−２に対応する選択リンク数をインクリメントする。
【００９４】
ユーザは、ページ１−１のリンクを選択することによって、通信部１２２を介してページ１−１−４をダウンロードして、表示部１３８にページ１−１−４を表示させる。このとき、カウント部１００Ｅは、閲覧アドレスデータ１０４Ａにおけるページ１−１に対応する選択リンク数を再度インクリメントする（選択リンク数３）。
【００９５】
ユーザは、戻るボタン１３８を押下することによって、あるいはページ１−１−４のリンクを選択することによって、表示部１３８に再度ページ１−１を表示させる。ユーザがページ１−１−４のリンクを選択した場合、カウント部１００Ｅは、閲覧アドレスデータ１０４Ａにおけるページ１−１−４に対応する選択リンク数をインクリメントする。
【００９６】
ユーザは、ページ１−１のリンクを選択することによって、通信部１２２を介してページ１−１−５をダウンロードして、表示部１３８にページ１−１−５を表示させる。このとき、カウント部１００Ｅは、閲覧アドレスデータ１０４Ａにおけるページ１−１に対応する選択リンク数を再度インクリメントする（選択リンク数４）。
【００９７】
ユーザは、戻るボタン１３８を押下することによって、あるいはページ１−１−５のリンクを選択することによって、表示部１３８に再度ページ１−１を表示させる。ユーザがページ１−１−５のリンクを選択した場合、カウント部１００Ｅは、閲覧アドレスデータ１０４Ａにおけるページ１−１−５に対応する選択リンク数をインクリメントする。
【００９８】
ユーザは、ページ１−１のリンクを選択することによって、通信部１２２を介して別のＷｅｂページをダウンロードして、表示部１３８に別のＷｅｂページを表示させる。このとき、カウント部１００Ｅは、閲覧アドレスデータ１０４Ａにおけるページ１−１に対応する選択リンク数を再度インクリメントする（選択リンク数５）。
【００９９】
図６に戻って、第３の判断部１００Ｆは、Ｗｅｂページ毎に選択されたリンクの数が所定数に達したか否かを判断する。たとえば、第３の判断部１００Ｆは、選択リンク数が３以上となったか否かを判断する。あるいは、第３の判断部１００Ｆは、Ｗｅｂページ毎に、ユーザによって閲覧された回数、すなわち表示部１３８にて表示された回数に基づいて、Ｗｅｂページの重要度を判断しても良い。
【０１００】
記憶制御部１００Ｇは、Ｗｅｂページのうち、表示部１３８がＷｅｂページを表示中に操作部１３６が所定の操作命令を受け付けたＷｅｂページに対応するアドレスを履歴アドレスとして記憶媒体１０５に記憶させる。記憶制御部１００Ｇは、表示時間が所定時間に達したＷｅｂページに対応するアドレスを履歴アドレスとして記憶媒体１０５に記憶させる。所定の操作命令に加え、閲覧時間も記憶条件に加えることよって、本実施の形態に係る画像形成装置ＭＦＰは、より適切に履歴アドレスを記憶することができる。
【０１０１】
記憶制御部１００Ｇは、Ｗｅｂページの表示開始後、最初に表示されたＷｅｂページ（トップページ）に対応するアドレスを履歴アドレスとして記憶媒体１０５に記憶させる。ここで、Ｗｅｂページの表示開始後、最初に表示されたＷｅｂページとは、Ｗｅｂブラウザが起動された際に表示される画像形成装置ＭＦＰに登録されているホームページの次に表示されるＷｅｂページをいう。たとえば、記憶制御部１００Ｇは、ダウンロードしたＷｅｂページのファイル名にindex.htmlやdefault.htmが含まれる場合に、対応するＷｅｂページをトップページであると判断してもよい。
【０１０２】
また、記憶制御部１００Ｇは、Ｗｅｂページの表示終了時に表示されているＷｅｂページに対応するアドレスを履歴アドレスとして記憶媒体１０５に記憶させる。
【０１０３】
記憶制御部１００Ｇは、新たに表示されるＷｅｂページに対応するアドレスの階層が、１つ前に表示されたＷｅｂページに対応するアドレスの階層よりも深くない場合に、１つ前に表示されていたページのＷｅｂページに対応するアドレスを履歴アドレスとして記憶媒体１０５に記憶させる。
【０１０４】
記憶制御部１００Ｇは、選択されたリンクの数が所定数に達したＷｅｂページに対応するアドレスを履歴アドレスとして記憶媒体１０５に記憶させる。
【０１０５】
そして、記憶制御部１００Ｇは、後述するプリント部１１６によって履歴アドレスがプリントされたときに、プリントされた履歴アドレスを記憶媒体１０５から消去する。
【０１０６】
また、記憶制御部１００Ｇは、後述するプリント部１１６によって、Ｗｅｂページが印刷された場合に、当該Ｗｅｂページに対応するアドレスを履歴アドレスとして、記憶媒体１０５に記憶する。
【０１０７】
プリント部１１６は、操作部１３６を介してＷｅｂページを印刷する命令を受け付けて、Ｗｅｂページを印刷する。プリント部１１６は、操作部１３６を介して履歴アドレスを印刷する命令を受け付けて、記憶媒体１０５に記憶されている履歴アドレスデータ１０６Ａに基づいて履歴アドレスをプリントする。履歴アドレスを紙ヘプリントする場合においても、履歴アドレスが多いと大量の用紙が必要となるが、本実施の形態に係る画像形成装置ＭＦＰは、重要度が高いと判断されたＷｅｂページのアドレスのみを履歴アドレスとして用紙にプリントするため、使用する用紙枚数を低減することができる。
【０１０８】
図１２（Ａ）は、プリント部１１６が印字した履歴アドレスを示す第１のイメージ図であって、図１２（Ｂ）は、プリント部１１６が印字した履歴アドレスを示す第２のイメージ図である。
【０１０９】
プリント部１１６は、指定された用紙に、履歴アドレスが全て印字できる場合には、図１２（Ａ）を参照して、通常の文字サイズにて、一列で履歴アドレス（Ｗｅｂページのアドレスとページ名を含む）を印字する。一方、プリント部１１６は、指定された用紙に、履歴アドレスが全て印字できない場合には、図１２（Ｂ）を参照して、通常よりも小さい文字サイズにて、複数列で履歴アドレスを印字する。
【０１１０】
＜アドレス記憶処理＞
図１３は、本実施の形態に係る画像形成装置ＭＦＰにおけるアドレス記憶処理の処理手順を示すフローチャートである。図１３を参照して、Ｗｅｂブラウザが起動されると、ＣＰＵ１００は、操作部１３６を介して入力されたアドレスに対応するＷｅｂページをＷｅｂサーバＳＲＶからダウンロードして、当該Ｗｅｂページを表示部１３８に表示させる（ステップＳ１０２）。ＣＰＵ１００は、表示されたＷｅｂページがトップページであるか否かを判断する（ステップＳ１０４）。すなわち、ＣＰＵ１００は、表示されたＷｅｂページが、Ｗｅｂページの表示開始後（Ｗｅｂブラウザの起動後）、最初に表示されたＷｅｂページであるか否かを判断する。
【０１１１】
表示されたＷｅｂページがトップページである場合（ステップＳ１０４にてＹＥＳである場合）、ＣＰＵ１００は、表示中のＷｅｂページのアドレスを履歴アドレスとして履歴アドレスデータ１０６Ａに格納する（Ｓ１０６）。そして、ＣＰＵ１００は、ページを切り替える命令を受け付ける（ステップＳ１２０）。
【０１１２】
一方、表示されたＷｅｂページがトップページでない場合（ステップＳ１０４にてＮＯである場合）、ＣＰＵ１００は、表示されているＷｅｂページが１つ前に表示されたＷｅｂページから階層を上がってきたものであるか否かを判断する（ステップＳ１０８）。すなわち、ＣＰＵ１００は、表示されているＷｅｂページのアドレスの階層が１つ前に表示されたＷｅｂページのアドレスの階層より深くないか否かを判断する。
【０１１３】
表示されているＷｅｂページが１つ前に表示されたＷｅｂページから階層を上がってきたものである場合（ステップＳ１０８にてＹＥＳである場合）、ＣＰＵ１００は、１つ前に表示されたＷｅｂページがさらに１つ前に表示されたＷｅｂページから階層を上がってきたものであるか否かを判断する（ステップＳ１１０）。
【０１１４】
表示されているＷｅｂページが１つ前に表示されたＷｅｂページから階層を上がってきたものである場合（ステップＳ１０８にてＹＥＳである場合）、あるいは、１つ前に表示されたＷｅｂページがさらに１つ前に表示されたＷｅｂページから階層を上がってきたものである場合（ステップＳ１１０にてＹＥＳである場合）、１つ前に表示されたＷｅｂページの選択リンク数が所定数以上であるか否かを判断する（ステップＳ１１４）。
【０１１５】
１つ前に表示されたＷｅｂページがさらに１つ前に表示されたＷｅｂページから階層を上がってきたものである場合（ステップＳ１１０にてＹＥＳである場合）、あるいは、１つ前に表示されたＷｅｂページの選択リンク数が所定数以上でない場合（ステップＳ１１４にてＹＥＳである場合）、ＣＰＵ１００は、１つ前に表示されたＷｅｂページのアドレスを履歴アドレスとして履歴アドレスデータ１０６Ａに格納する（ステップＳ１１２）。
【０１１６】
次に、ＣＰＵ１００は、操作部１３６を介して所定の操作を受け付けたか否かを判断する（ステップＳ１１６）。ＣＰＵ１００は、所定の操作を受け付けた場合（ステップＳ１１６）、現在表示されているＷｅｂページのアドレスを履歴アドレスとして履歴アドレスデータ１０６Ａに格納する（ステップＳ１０６）。
【０１１７】
所定の操作を受け付けない場合（ステップＳ１１６にてＮＯである場合）、ＣＰＵ１００は、表示されているＷｅｂページの表示時間が所定時間に達したか否かを判断する（ステップＳ１１８）。ＣＰＵ１００は、表示されているＷｅｂページの表示時間が所定時間に達した場合（ステップＳ１１８にてＹＥＳである場合）、表示されているＷｅｂページのアドレスを履歴アドレスとして履歴アドレスデータ１０６Ａに格納する（ステップＳ１０６）。
【０１１８】
表示されているＷｅｂページの表示時間が所定時間に達しない場合（ステップＳ１１８にてＮＯである場合）、ＣＰＵ１００は、操作部１３６を介してページを切り替える命令を待ち受ける（ステップＳ１２０）。ＣＰＵ１００は、ページを切り替える命令を受け付けた場合（ステップＳ１２０にてＹＥＳである場合）、設定されたアドレスに基づいて、新たな設定アドレスに基づいて、Ｗｅｂページをダウンロードする。その後、ステップＳ１０２からの処理を繰り返す。
【０１１９】
一方、ＣＰＵ１００は、ページを切り替える命令を受け付けない場合（ステップＳ１２０にてＮＯである場合）、操作部１３６を介してＷｅｂブラウザを終了する旨の命令を待ち受ける（ステップＳ１２２）。ＣＰＵ１００は、Ｗｅｂブラウザを終了する旨の命令を受け付けた場合（ステップＳ１２２にてＹＥＳである場合）、Ｗｅｂブラウザを終了し、Ｗｅｂブラウザを終了する旨の命令を受け付けない場合（ステップＳ１２２にてＮＯである場合）、ステップＳ１１６からの処理を繰り返す。
【０１２０】
なお、本実施の形態に係る画像形成装置ＭＦＰは、ステップＳ１０８や、ステップＳ１１０や、ステップＳ１１４や、ステップＳ１１６や、ステップＳ１１８などの判断を行うための機能を全て有するものであるが、上記の判断機能のいずれかを有するものであってもよい。
【０１２１】
すなわち、上記の判断機能のいずれかを有し、当該判断結果に基づいてＷｅｂページのアドレスを履歴アドレスとして記憶する機能を有する画像形成装置ＭＦＰは、Ｗｅｂアドレスを記憶するために必要なメモリ容量を低減することができるため、効率良く履歴アドレスを記憶することができる。そして、このような画像形成装置ＭＦＰは、余分なＷｅｂアドレスを履歴アドレスとして記憶しないため、ユーザは、履歴アドレスに効率良く再アクセスできるようになる。
【０１２２】
＜履歴アドレス印刷処理＞
図１４は、画像形成装置ＭＦＰにおける履歴アドレス印刷処理の処理手順を示すフローチャートである。図１４を参照して、ＣＰＵ１００は、操作部１３６を介して文字サイズの設定を受け付ける（ステップＳ２０２）。次に、ＣＰＵ１００は、履歴アドレスデータ１０６Ａを参照して、記憶媒体１０５に記憶されている履歴アドレスの個数と、文字サイズと、用紙サイズとに基づいて、１枚の用紙に記憶媒体１０５に記憶されている全ての履歴アドレスを印字可能であるか否かを判断する（ステップＳ２０４）。
【０１２３】
１枚の用紙に記憶媒体１０５に記憶されている全ての履歴アドレスを印字可能である場合（ステップＳ２０４にてＹＥＳである場合）、ＣＰＵ１００は、履歴アドレスデータ１０６Ａに基づいて、プリント部１１６に履歴アドレスを印字させる（ステップＳ２１４）。ＣＰＵ１００は、記憶媒体１０５からプリント部１１６にて印字された履歴アドレスを削除して（ステップＳ２１６）、履歴アドレス印刷処理を終了する。
【０１２４】
１枚の用紙に記憶媒体１０５に記憶されている全ての履歴アドレスを印字可能でない場合（ステップＳ２０４にてＮＯである場合）、ＣＰＵ１００は、現在設定されている文字サイズが最小であるか否かを判断する（ステップＳ２０６）。すなわち、ＣＰＵ１００は、さらに文字サイズを小さく設定することが不可能であるか否かを判断する。現在設定されている文字サイズが最小でない場合（ステップＳ２０６にてＮＯである場合）、ＣＰＵ１００は、文字サイズを１サイズ小さい値に設定し直したうえで（ステップＳ２０８）、ステップＳ２０４からの処理を繰り返す。
【０１２５】
現在設定されている文字サイズが最小である場合（ステップＳ２０６にてＹＥＳである場合）、ＣＰＵ１００は、表示部１３８に、１枚の用紙に全ての履歴アドレスを印字できない旨の警告を表示させる（ステップＳ２１０）。そして、ＣＰＵ１００は、操作部１３６を介してプリントを実行する旨の命令を受け付けたか否かを判断する（ステップＳ２１２）。プリントを実行する旨の命令を受け付けた場合（ステップＳ２１２にてＹＥＳである場合）、ＣＰＵ１００は、履歴アドレスデータ１０６Ａに基づいて、プリント部１１６に履歴アドレスを印字させる（ステップＳ２１４）。
【０１２６】
このとき、ＣＰＵ１００は、プリント部１１６に履歴アドレスを複数列で印字させてもよい（図１２（Ｂ）を参照。）。そして、ＣＰＵ１００は、記憶媒体１０５からプリント部１１６にて印字された履歴アドレスを削除して（ステップＳ２１６）、履歴アドレス印刷処理を終了する。
【０１２７】
一方、プリントを実行する旨の命令を受け付けない場合（ステップＳ２１２にてＮＯである場合）、ＣＰＵ１００は、履歴アドレス印刷処理を終了する。
【０１２８】
［実施の形態２］
次に、本発明の実施の形態２について説明する。上述の実施の形態１に係る画像形成装置ＭＦＰは、Ｗｅｂページを表示した際に、その都度、当該Ｗｅｂページの重要度を判断して、重要度の高いＷｅｂページのアドレスを履歴アドレスとして記憶媒体１０５に記憶させていく。
【０１２９】
一方、本実施の形態に係る画像形成装置ＭＦＰは、Ｗｅｂページを表示した際に、当該Ｗｅｂページの重要度を判断し、Ｗｅｂページ毎にＷｅｂページのアドレスを保持するか否かを示す情報を記憶しておく。あるいは、本実施の形態に係る画像形成装置ＭＦＰは、Ｗｅｂページを表示した際に、当該Ｗｅｂページの重要度を判断し、Ｗｅｂページ毎にＷｅｂページのアドレスを消去するか否かを示す情報を記憶しておく。
【０１３０】
そして、本実施の形態に係る画像形成装置ＭＦＰは所定のタイミングで重要度の高いＷｅｂページのアドレスを一括して履歴アドレスとして記憶媒体１０５に記憶させる。あるいは、本実施の形態に係る画像形成装置ＭＦＰは、表示された全てのＷｅｂページのアドレスを一旦記憶媒体１０５に格納しておき、所定のタイミングで重要度の低いＷｅｂページのアドレスを一括して記憶媒体１０５から削除することによって、重要度の高いＷｅｂページのアドレスを記憶媒体１０５に記憶させる。
【０１３１】
なお、実施の形態２における画像形成システムの全体構成や画像形成装置ＭＦＰのハードウェア構成は、図１〜図５に示した実施の形態１における画像形成システムの全体構成や画像形成装置ＭＦＰのハードウェア構成と同じであるため、ここでは説明を繰り返さない。
【０１３２】
＜機能構成＞
次に、本実施の形態に係る画像形成装置ＭＦＰの機能構成について説明する。本実施の形態に係る画像形成装置ＭＦＰの機能構成についても、図６を参照して説明する。なお、実施の形態１における画像形成装置ＭＦＰと同じ機能ブロックについては、ここでは説明を繰り返さない。
【０１３３】
図６を参照して、本実施の形態にかかる画像形成装置ＭＦＰにおいては、検知部１００Ａは、操作部１３６が所定の操作命令を受け付けた際に、閲覧アドレスデータ１０４Ａにおいて、表示されているＷｅｂページの記憶フラグをＯＮにする。第１の判断部１００Ｃは、閲覧アドレスデータ１０４Ａにおいて、表示時間が所定時間に達したＷｅｂページの記憶フラグをＯＮする。
【０１３４】
第２の判断部１００Ｄは、新たに表示されるＷｅｂページに対応するアドレスの階層が、１つ前に表示されたＷｅｂページに対応するアドレスの階層よりも深くない場合に、閲覧アドレスデータ１０４Ａにおいて、１つ前に表示されたＷｅｂページの記憶フラグをＯＮする。第３の判断部１００Ｆは、閲覧アドレスデータ１０４Ａにおいて、選択されたリンクの数が所定数に達したＷｅｂページの記憶フラグをＯＮする。
【０１３５】
記憶制御部１００Ｇは、閲覧アドレスデータ１０４Ａにおいて、Ｗｅｂページの表示開始後、最初に表示されたＷｅｂページの記憶フラグをＯＮにする。また、記憶制御部１００Ｇは、Ｗｅｂページの表示終了時に表示されているＷｅｂページの記憶フラグをＯＮにする。加えて、記憶制御部１００Ｇは、プリント部１１６によって、Ｗｅｂページが印刷された場合に、当該Ｗｅｂページの記憶フラグをＯＮにする。
【０１３６】
そして、本実施の形態に係る記憶制御部１００Ｇは、閲覧アドレスデータ１０４Ａを参照して、所定のタイミングで、記憶媒体１０５から記憶フラグがＯＦＦのＷｅｂページのアドレスを削除する。また、記憶制御部１００Ｇは、プリント部１１６によって履歴アドレスがプリントされたときに、プリントされた履歴アドレスを記憶媒体１０５から消去する。
【０１３７】
ここで、所定のタイミングは、Ｗｅｂページの表示が終了するとき、すなわちＷｅｂブラウザが終了するときを含む。Ｗｅｂブラウザを終了するまでは、ユーザが一度閲覧したＷｅｂページを再度閲覧する可能性が相対的に高く、一旦Ｗｅｂブラウザを終了した後は、一度閲覧したＷｅｂページを再度閲覧する可能性が相対的に低まるからである。
【０１３８】
また、所定のタイミングは、Ｗｅｂページの表示時間が第２の所定時間に達したときを含む。また、所定のタイミングは、記憶媒体１０５に記憶されている閲覧アドレスデータ１０４Ａのデータ量が所定値に達したときを含む。記憶媒体１０５に記憶される履歴アドレスが少ない場合には、記憶する履歴アドレスを限定する必要がないからである。
【０１３９】
＜アドレス記憶処理＞
次に、本実施の形態にかかる画像形成装置ＭＦＰにおけるアドレス記憶処理の処理手順について説明する。図１５は、本実施の形態にかかる画像形成装置ＭＦＰにおけるアドレス記憶処理の処理手順を示すフローチャートである。なお、図１５に示すフローチャートのステップのうち、図１３に示す実施の形態１に係るフローチャートのステップと同様の処理を行うものについては、同一のステップ番号を付して、ここでは説明を繰り返さない。
【０１４０】
図１５を参照して、表示されたＷｅｂページがトップページである場合（ステップＳ１０４にてＹＥＳである場合）、ＣＰＵ１００は、閲覧アドレスデータ１０４Ａにおいて、表示中のＷｅｂページの記憶フラグを立てる（Ｓ３０６）。
【０１４１】
１つ前に表示されたＷｅｂページがさらに１つ前に表示されたＷｅｂページから階層を上がってきたものである場合（ステップＳ１１０にてＹＥＳである場合）、あるいは、１つ前に表示されたＷｅｂページの選択リンク数が所定数以上でない場合（ステップＳ１１４にてＹＥＳである場合）、ＣＰＵ１００は、閲覧アドレスデータ１０４Ａにおいて、１つ前に表示されたＷｅｂページの記憶フラグを立てる（ステップＳ３１２）。
【０１４２】
ＣＰＵ１００は、所定の操作を受け付けた場合（ステップＳ１１６）、表示されているＷｅｂページの記憶フラグを立てる（ステップＳ３０６）。また、ＣＰＵ１００は、表示されているＷｅｂページの表示時間が所定時間に達した場合（ステップＳ１１８にてＹＥＳである場合）、表示されているＷｅｂページの記憶フラグを立てる（ステップＳ３０６）。
【０１４３】
そして、ＣＰＵ１００は、Ｗｅｂブラウザを終了する旨の命令を受け付けた場合（ステップＳ１２２にてＹＥＳである場合）、閲覧アドレスデータ１０４Ａにおいて記憶フラグが立っていないＷｅｂページのデータを記憶媒体１０５から削除することによって、記憶フラグが立っているＷｅｂページのアドレスを履歴アドレスとして記憶媒体１０５に保持させる（ステップＳ３２４）。そして、ＣＰＵ１００は、Ｗｅｂブラウザを終了する。
【０１４４】
なお、本実施の形態に係る画像形成装置ＭＦＰは、ステップＳ１０８や、ステップＳ１１０や、ステップＳ１１４や、ステップＳ１１６や、ステップＳ１１８などの判断を行うための機能を全て有するものであるが、上記の判断機能のいずれかを有するものであってもよい。
【０１４５】
すなわち、上記の判断機能のいずれかを有し、当該判断結果に基づいてＷｅｂページのアドレスを履歴アドレスとして記憶する機能を有する画像形成装置ＭＦＰは、Ｗｅｂアドレスを記憶するために必要なメモリ容量を低減することができるため、効率良く履歴アドレスを記憶することができる。そして、このような画像形成装置ＭＦＰは、余分なＷｅｂアドレスを履歴アドレスとして記憶しないため、ユーザは、履歴アドレスに効率良く再アクセスできるようになる。
【０１４６】
［その他の実施の形態］
本発明に係るプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１４７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１４８】
提供されるプログラム製品は、ハードディスクなどのプログラム格納部にインストールされて実行される。なお、プログラム製品は、プログラム自体と、プログラムが記憶された記憶媒体とを含む。
【０１４９】
さらに、本発明に係るプログラムによって実現される機能の一部または全部を専用のハードウェアによって構成してもよい。
【０１５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５１】
【図１】本発明の実施の形態１に係る画像形成システムの概略構成図である。
【図２】実施の形態１に係る画像形成装置のハードウェア構成を示す模式図である。
【図３】実施の形態１に係る操作パネルを示す概略図である。
【図４】表示部における通常モードの表示画面を示す第１のイメージ図である。
【図５】表示部における履歴モードの表示画面を示すイメージ図である。
【図６】本発明の実施の形態１に係る画像形成装置における機能構成を示すブロック図である。
【図７】記憶媒体に記憶されている閲覧アドレスデータのデータ構造を示すイメージ図である。
【図８】表示エリアをスクロールする状態を示すイメージ図と表示エリアを広げる状態を示すイメージ図である。
【図９】表示部における通常モードの表示画面を示す第２のイメージ図である。
【図１０】ＷｅｂサーバからダウンロードされるＷｅｂページのアドレスの階層関係を示す第１のイメージ図である。
【図１１】ＷｅｂサーバからダウンロードされるＷｅｂページのアドレスの階層関係を示す第２のイメージ図である。
【図１２】プリント部が印字した履歴アドレスを示す第１および第２のイメージ図である。
【図１３】実施の形態１に係る画像形成装置におけるアドレス記憶処理の処理手順を示すフローチャートである。
【図１４】実施の形態１に係る画像形成装置における履歴アドレス印刷処理の処理手順を示すフローチャートである。
【図１５】実施の形態２に係る画像形成装置におけるアドレス記憶処理の処理手順を示すフローチャートである。
【符号の説明】
【０１５２】
１  画像形成システム、１００  ＣＰＵ、１００Ａ  検知部、１００Ｂ  測定部、１００Ｃ  第１の判断部、１００Ｄ  第２の判断部、１００Ｅ  カウント部、１００Ｆ  第３の判断部、１００Ｇ  記憶制御部、１０４  Ｓ−ＲＡＭ、１０４Ａ  閲覧アドレスデータ、１０５  記憶媒体、１０６  ＮＶ−ＲＡＭ、１０６Ａ  履歴アドレスデータ、１０８  時計ＩＣ、１１０  ハードディスク、１１２  読取部、１１４  操作パネル、１１６  プリント部、１１８  プリンタコントローラ、１２０  出力処理部、１２２  通信部、１２４  バス、１３０  テンキー、１３２  ＰＲＩＮＴキー、１３４  ログオフキー、１３６  操作部、１３８  表示部、１４０  音声出力部、ＭＦＰ  画像形成装置、ＳＲＶ  Ｗｅｂサーバ、ＮＷ  ネットワーク。
【図１】
2010045614.tif 000003
【図２】
2010045614.tif 000004
【図３】
2010045614.tif 000005
【図４】
2010045614.tif 000006
【図５】
2010045614.tif 000007
【図６】
2010045614.tif 000008
【図７】
2010045614.tif 000009
【図８】
2010045614.tif 000010
【図９】
2010045614.tif 000011
【図１０】
2010045614.tif 000012
【図１１】
2010045614.tif 000013
【図１２】
2010045614.tif 000014
【図１３】
2010045614.tif 000015
【図１４】
2010045614.tif 000016
【図１５】
2010045614.tif 000017